(57)【特許請求の範囲】
【請求項１】
データを非接触で相互に送受信するシステムを構成する電子装置において、
装置本体の姿勢を検出する姿勢検出手段と、
前記姿勢検出手段で前記装置本体が所定の姿勢であることが検出されたことに応答して、データを送信する送信モードに切り換えるとともに、前記姿勢検出手段で前記装置本体が前記所定の姿勢とは上下方向に逆向きの姿勢であることが検出されたことに応答して、データを受信する受信モードに切り換えるモード切換手段と、
前記送信モードであるときに、前記受信モードである他の電子装置との距離が所定距離内であるか否かを判定する判定手段と、
前記送信モードであるときに、前記判定手段で所定距離内であると判定されたことに応答してデータを送信させる制御手段と、を備えることを特徴とする電子装置。
【請求項２】
電波を送信する電波送信部と、電波を受信する電波受信部と、を備え、
前記受信モードであるときに、前記制御手段は、前記電波送信部から到達距離が前記所定距離である所定の電波を送信させ、
前記判定手段は、前記電波受信部で前記所定の電波を受信したときに、前記所定距離内であると判定することを特徴とする請求項１記載の電子装置。
【請求項３】
画像を表示する表示手段を備え、
前記送信モードでありデータを送信しているときに、前記表示手段は、送信状況を示す画像を表示することを特徴とする請求項１または２記載の電子装置。
【請求項４】
前記装置本体の動きを検出する加速度センサを備え、
前記加速度センサで動きが検出されているときには、データを送受信するデータ通信部への給電を行わないことを特徴とする請求項１ないし３いずれか１つ記載の電子装置。
【請求項５】
被写体像を光電変換して画像データを取得する撮像手段を備え、
前記データは前記画像データであり、
前記モード切換手段は、前記撮像手段で画像データを取得しているときには、モード切り換えを行わないことを特徴とする請求項１ないし４いずれか１つ記載の電子装置。
【請求項６】
複数の画像データを表示可能で、表示する画像データの数が選択可能な画像データ表示手段を備え、
前記送信モードであるときに、前記制御手段は、前記画像データ表示手段に表示された全ての画像データを送信させることを特徴とする請求項５記載の電子装置。
【請求項７】
前記送信モードでありデータを送信しているときに、前記制御手段は、前記判定手段で所定距離内ではないと判定されたことに応答して、データの送信を停止させることを特徴とする請求項１ないし６いずれか１つ記載の電子装置。
【請求項８】
前記送信モードであるときに、前記制御手段は、到達距離が前記所定距離を超える電波に乗せてデータを送信させることを特徴とする請求項１ないし７いずれか１つ記載の電子装置。
【請求項９】
電子装置間でデータを非接触により送受信するデータ通信方法において、
前記電子装置の姿勢を検出し、
前記電子装置が所定の姿勢であることが検出されたことに応答して、前記電子装置を、データを送信する送信モードに切り換えるとともに、前記電子装置が前記所定の姿勢とは上下方向に逆向きの姿勢であることが検出されたことに応答して、前記電子装置を、データを受信する受信モードに切り換え、
前記送信モードの電子装置と前記受信モードの電子装置との距離が所定距離内であるか否かを判定し、
前記所定距離内であると判定されたことに応答して、前記送信モードの電子装置からデータを送信させることを特徴とするデータ通信方法。
【発明の詳細な説明】
【技術分野】
【０００１】
本発明は、データを送受信する電子装置及びデータ通信方法に関するものである。
【背景技術】
【０００２】
電子装置、例えばデジタルカメラには、他のデジタルカメラとデータを相互に送受信する通信部が設けられている。２台のデジタルカメラ間でデータ通信を行う場合には、２台のデジタルカメラの通信部を通信ケーブルで接続する必要があるため、手間がかかる。さらには、通信ケーブルを紛失した場合には、データ通信を行うことができない。
【０００３】
そこで、特許文献１では、画像が表示された表示部上を指で操作して、データを送信する空間的な方向を入力し、指向性を有する無線通信部を用いて、入力された方向にデータを送信している。
【特許文献１】特開２００４−２２８８０４号公報
【発明の開示】
【発明が解決しようとする課題】
【０００４】
特許文献１では、データを送信するためには、送信側の電子装置の表示部に画像を表示させる操作と、受信側の電子装置を受信可能な状態にする操作とが必要であるため、手間がかかるという問題がある。
【０００５】
本発明は、上記課題を解決するためになされたものであり、容易にデータの送受信を行うことができる電子装置及びデータ通信方法を提供することを目的とする。
【課題を解決するための手段】
【０００６】
上記目的を達成するために、本発明の電子装置は、データを非接触で相互に送受信するシステムを構成する電子装置において、装置本体の姿勢を検出する姿勢検出手段と、前記姿勢検出手段で前記装置本体が所定の姿勢であることが検出されたことに応答して、データを送信する送信モードに切り換えるとともに、前記姿勢検出手段で前記装置本体が前記所定の姿勢とは上下方向に逆向きの姿勢であることが検出されたことに応答して、データを受信する受信モードに切り換えるモード切換手段と、前記送信モードであるときに、前記受信モードである他の電子装置との距離が所定距離内であるか否かを判定する判定手段と、前記送信モードであるときに、前記判定手段で所定距離内であると判定されたことに応答してデータを送信させる制御手段と、を備えることを特徴とする。
【０００７】
また、電波を送信する電波送信部と、電波を受信する電波受信部と、を備え、前記受信モードであるときに、前記制御手段は、前記電波送信部から到達距離が前記所定距離である所定の電波を送信させ、前記判定手段は、前記電波受信部で前記所定の電波を受信したときに、前記所定距離内であると判定することが好ましい。
【０００８】
さらに、画像を表示する表示手段を備え、前記送信モードでありデータを送信しているときに、前記表示手段は、送信状況を示す画像を表示することが好ましい。
【０００９】
また、前記装置本体の動きを検出する加速度センサを備え、前記加速度センサで動きが検出されているときには、データを送受信するデータ通信部への給電を行わないことが好ましい。
【００１０】
さらに、被写体像を光電変換して画像データを取得する撮像手段を備え、前記データは前記画像データであり、前記モード切換手段は、前記撮像手段で画像データを取得しているときには、モード切り換えを行わないことが好ましい。
【００１１】
また、複数の画像データを表示可能で、表示する画像データの数が選択可能な画像データ表示手段を備え、前記送信モードであるときに、前記制御手段は、前記画像データ表示手段に表示された全ての画像データを送信させることが好ましい。
【００１２】
さらに、前記送信モードでありデータを送信しているときに、前記制御手段は、前記判定手段で所定距離内ではないと判定されたことに応答して、データの送信を停止させることが好ましい。
【００１３】
また、前記送信モードであるときに、前記制御手段は、到達距離が前記所定距離を超える電波に乗せてデータを送信させることが好ましい。
【００１４】
さらに、本発明のデータ通信方法は、電子装置間でデータを非接触により送受信するデータ通信方法において、前記電子装置の姿勢を検出し、前記電子装置が所定の姿勢であることが検出されたことに応答して、前記電子装置を、データを送信する送信モードに切り換えるとともに、前記電子装置が前記所定の姿勢とは上下方向に逆向きの姿勢であることが検出されたことに応答して、前記電子装置を、データを受信する受信モードに切り換え、前記送信モードの電子装置と前記受信モードの電子装置との距離が所定距離内であるか否かを判定し、前記所定距離内であると判定されたことに応答して、前記送信モードの電子装置からデータを送信させることを特徴とする。
【発明の効果】
【００１５】
本発明によれば、装置本体の姿勢を変えるだけで、送信モード及び受信モードに切り換えることができるから、モード切り換えの手間を軽減することができる。また、送信モードであるときに、受信モードである他の電子装置との距離が所定距離内であると判定されたことに応答してデータを送信させるから、所定距離外にある電子装置とデータ送受信を行わないようにすることができる。
【発明を実施するための最良の形態】
【００１６】
［第１実施形態］
図１及び図２に示すように、本発明を実施したデジタルカメラ２は、カメラ本体３の前面に、複数の撮影レンズ４が組み込まれたレンズ鏡筒５、送信用アンテナ６、受信用アンテナ７等が設けられている。カメラ本体３の上面には、電源ボタン８、レリーズボタン９等が設けられている。レンズ鏡筒５は、デジタルカメラ２が電源オフ状態にある際に、カメラ本体３の内部に収納され、電源オンとともにカメラ本体３の前面から突出する。
【００１７】
レリーズボタン９は、２段押しの構造とされている。レリーズボタン９を軽く押圧（半押し）すると、フォーカシングなどの撮影準備動作が行われる。この状態でさらに押圧（全押し）すると、撮影動作が行われる。
【００１８】
カメラ本体３の背面には、撮影画像や各種設定条件が表示されるＬＣＤ１０、各種設定及び表示画像の切り換えを行うためのメニューキー１１、ＬＣＤ１０に表示する画像を拡大及び縮小ズームさせるズームボタン１２等が設けられている。
【００１９】
デジタルカメラ２は、撮影を行う撮影モードと、撮影した画像を再生表示する再生モードと、画像データを送信する送信モードと、画像データを受信する受信モードとが設けられている。メニューキー１１の操作により、撮影モードと再生モードとで切り換わる。
【００２０】
図３は、デジタルカメラ２内部の電気的構成を示すブロック図であり、撮影レンズ４の背後には、撮影レンズ４を透過した被写体光が撮像されるＣＣＤ１４が配置されている。このＣＣＤ１４には、ＣＰＵ２０によって制御されるタイミングジェネレータ１９からタイミング信号（クロック信号）が入力される。ＣＣＤ１４から出力された信号は、相関二重サンプリング回路（ＣＤＳ）１５に入力され、ＣＣＤ１４の各セルの蓄積電荷量に正確に対応したＲ、Ｇ、Ｂの画像データとして出力される。ＣＤＳ１５から出力された画像データは、増幅器（ＡＭＰ）１６で増幅され、Ａ／Ｄ変換器１７でデジタルデータに変換される。
【００２１】
画像入力コントローラ１８は、データバス２１を介してＣＰＵ（制御手段）２０に接続されており、ＣＰＵ２０の命令によってＣＣＤ１４，ＣＤＳ１５，ＡＭＰ１６，Ａ／Ｄ変換器１７を制御する。また、Ａ／Ｄ変換器１７から出力された画像データをビデオメモリ２２、あるいはバッファメモリ２４に書き込む。
【００２２】
ビデオメモリ２２は、ＬＣＤ１０をビューファインダとして使用する際に、解像度の低い画像データが一時的に記憶される。ビデオメモリ２２に記憶された画像データは、データバス２１を介してＬＣＤドライバ２３に送られ、ＬＣＤ１０に表示される。バッファメモリ２４は、撮像された高解像度の画像データが一時的に記憶される。このバッファメモリ２４から読み出された画像データは、メモリコントローラ２５によって駆動制御されるデータリーダによりＲＡＭ２６に記憶される。
【００２３】
画像信号処理回路２７は、撮像された高解像度の画像データがバッファメモリ２４内に記憶されている間に、例えば階調変換、色変換、画像の超低周波濃度成分の階調を圧縮するハイパートーン処理、粒状を抑制しながらシャープネスを強調するハイパーシャープネス処理等の画像処理を施す。
【００２４】
加速度センサ２９は、バネに取り付けた重りが変位する量を測り、重りにかかる加速度を検出するものであり、この加速度の検出結果に基づいてカメラ本体３の動きを検出する。加速度センサ２９は、カメラ本体３の動きを検出すると、動き検出信号をＣＰＵ２０に送る。
【００２５】
非接触型のデータ通信部３０は、送信用アンテナ６と、受信用アンテナ７と、通信制御回路３１とから構成される。通信制御回路３１は、送信用アンテナ６と受信用アンテナ７とに接続されている。通信制御回路３１は、ＣＰＵ２０からの指令を受けて、送信用アンテナ６から到達距離が短い微弱電波ＦＲ（例えば、到達距離が１０ｃｍとなる１３．５６ＭＨｚの電波）を送信させる。
【００２６】
姿勢検出装置３２は、円弧状の筒、この筒内に封入された水銀、及び、筒内の中央部及び両端部の３箇所に配置された電極を備えている。そして、筒内の水銀が３箇所の電極のうちのいずれを短絡させたかを検出することにより、カメラ本体３の姿勢を検出し、検出した姿勢に応じた信号をＣＰＵ２０に送る。
【００２７】
姿勢検出装置３２は、図４に示ように、カメラ本体３の各アンテナ６，７が設けられた面（以下、通信面と称する）３ａが上向き（逆向きの姿勢）のときには、上向き姿勢状態を検出し、ＣＰＵ２０に上向き姿勢信号を送る。
【００２８】
姿勢検出装置３２は、通信面３ａが下向き（所定の姿勢）のときには、下向き姿勢状態を検出し、ＣＰＵ２０に下向き姿勢信号を送る。
【００２９】
ＣＰＵ２０は、上向き姿勢信号が入力されたことに応答して、受信モードに切り換えるとともに、通信制御回路３１により、送信用アンテナ６から微弱電波ＦＲを送信させるように制御する。
【００３０】
ＣＰＵ２０は、下向き姿勢信号が入力されたことに応答して、送信モードに切り換える。送信モードのときには、送信用アンテナ６から微弱電波ＦＲを送信させない。以下では、送信モードのデジタルカメラ２Ａ、受信モードのデジタルカメラ２Ｂと称する。本実施形態では、ＣＰＵ２０は、モード切換手段としても機能する。
【００３１】
なお、撮影モードで撮影を行っているとき（撮影準備動作中及び撮影動作中）には、ＣＰＵ２０は、上向き姿勢信号及び下向き姿勢信号が入力されても、モード切り換えを行わない。これにより、撮影中にモードが切り換わることを防止することができる。また、加速度センサ２９から動き検出信号が入力されているときは、デジタルカメラ２を手に持ち、被写体を探しているとき等であり、データを送受信させることはない。このため、ＣＰＵ２０は、加速度センサ２９から動き検出信号が入力されているときには、データ通信部３０への給電を行わない。これにより、消費電力を抑制することができる。
【００３２】
図４に示すように、送信モードのデジタルカメラ２Ａが、受信モードのデジタルカメラ２Ｂから送信されている微弱電波ＦＲの到達距離（所定距離）内に入ると、送信モードのデジタルカメラ２Ａの受信用アンテナ７は微弱電波ＦＲを受信する。微弱電波ＦＲを受信すると、通信制御回路３１はＣＰＵ２０に信号を送る。ＣＰＵ２０は、通信制御回路３１から信号が入力されたことに応答して、ＲＡＭ２６に記憶された全ての画像データを乗せた１３．５６ＭＨｚの微弱電波（以下、画像データ付微弱電波ＤＦＲと称する）を、送信用アンテナ６から送信するように制御する。本実施形態では、送信モードであるときに、他のデジタルカメラ２との距離が所定距離（１０ｃｍ）内であるか否かを判定する判定手段は、送信用アンテナ６、受信用アンテナ７、ＣＰＵ２０、通信制御回路３１から構成される。なお、ＣＰＵ２０は、通信制御回路３１からの信号入力が停止すると、画像データ付微弱電波ＤＦＲの送信を停止する。
【００３３】
受信モードのデジタルカメラ２Ｂでは、送信モードのデジタルカメラ２Ａから送信された画像データ付微弱電波ＤＦＲを受信用アンテナ７で受信すると、ＣＰＵ２０が、受信した画像データをＲＡＭ２６に記憶する。
【００３４】
送信モードのデジタルカメラ２Ａが動かされると、加速度センサ２９からＣＰＵ２０に動き検出信号が入力される。送信モードで画像データを送信中に、動き検出信号が入力されたことに応答して、ＣＰＵ２０は、画像データ付微弱電波ＤＦＲの送信を停止し、送信モードから直前のモード（撮影モードまたは再生モード）に切り換えるように制御する。
【００３５】
受信モードのデジタルカメラ２Ｂが動かされると、加速度センサ２９からＣＰＵ２０に動き検出信号が入力される。受信モードで画像データを受信中に、動き検出信号が入力されたことに応答して、ＣＰＵ２０は、画像データ付微弱電波ＤＦＲの受信を停止し、受信モードから直前のモード（撮影モードまたは再生モード）に切り換えるように制御する。
【００３６】
図５に示すように、送信モードのデジタルカメラ２Ａでは、ＣＰＵ２０は、ＬＣＤ１０に画像データの送信状況を示す送信状況画像３５を表示する。この送信状況画像３５は砂時計の画像であり、送信が完了していないデータ容量を上部に示し、送信が完了したデータ容量を下部に示している。これにより、どの程度データ送信が完了したかを容易に把握することができる。なお、受信モードのデジタルカメラ２Ｂでも、ＬＣＤ１０に画像データの受信状況を示す受信状況画像を表示するようにしてもよい。
【００３７】
次に、デジタルカメラ２の作用について、図６のフローチャートを用いて説明を行う。ここでは、送信モードのデジタルカメラ２Ａから受信モードのデジタルカメラ２Ｂに画像データを送信するときの手順について説明を行う。
【００３８】
画像データを受信させたい受信側のデジタルカメラ２を、上向き姿勢にすると（ステップ（以下，Ｓ）１でＹ）、姿勢検出装置３２からＣＰＵ２０に上向き姿勢信号が送られる。撮影中ではない場合（Ｓ２でＮ）には、ＣＰＵ２０は、受信モードに切り換える（Ｓ３）とともに、送信用アンテナ６から微弱電波ＦＲを送信させる（Ｓ４）。
【００３９】
画像データを送信させたい送信側のデジタルカメラ２を、下向き姿勢にすると（Ｓ５でＹ）、姿勢検出装置３２からＣＰＵ２０に下向き姿勢信号が送られる。撮影中ではない場合（Ｓ６でＮ）には、ＣＰＵ２０は、送信モードに切り換える（Ｓ７）。送信モードのデジタルカメラ２Ａは、受信モードのデジタルカメラ２Ｂから送信されている微弱電波ＦＲの到達距離内に入ると（Ｓ８でＹ）、受信用アンテナ７で微弱電波ＦＲを受信する（Ｓ９）。送信モードのデジタルカメラ２Ａは、微弱電波ＦＲを受信すると、ＲＡＭ２６に記憶された全ての画像データを乗せた画像データ付微弱電波ＤＦＲを、送信用アンテナ６から送信する（Ｓ１０）。受信モードのデジタルカメラ２Ｂは、受信用アンテナ７で画像データ付微弱電波ＤＦＲを受信し（Ｓ１１）、画像データをＲＡＭ２６に記憶する（Ｓ１２）。
【００４０】
このように、デジタルカメラ２を、通信面３ａが下向きとなる下向き姿勢、及び、通信面３ａが上向きとなる上向き姿勢にするだけで、容易に送信モード及び受信モードに切り換えることができる。これにより、モードを切り換える手間を軽減し、操作性を向上することができる。
【００４１】
また、送信モードのデジタルカメラ２Ａと受信モードのデジタルカメラ２Ｂとが、微弱電波ＦＲの到達距離内に位置するときのみ、画像データの送信を行うから、微弱電波ＦＲの到達距離外にあるデジタルカメラとデータ送受信を行わないようにすることができる。これにより、微弱電波ＦＲの到達距離を１０ｃｍにすると、例えば、１０ｍ離れていても画像データの送信を行う場合に発生する、画像データが他人に盗まれることを防止することができる。
【００４２】
［第２実施形態］
図７に示す第２実施形態は、デジタルカメラ４０に、無線通信部４１を設けたものである。なお、第１実施形態のものと同様の構成部材には同一の符号を付し、その詳細な説明を省略する。
【００４３】
無線通信部４１は、無線通信用アンテナ４２と無線通信制御回路４３とから構成される。無線通信制御回路４３は、無線通信用アンテナ４２に接続されている。無線通信用アンテナ４２は、各アンテナ６，７と同じ面に設けられている。
【００４４】
無線通信制御回路４３は、ＣＰＵ２０からの指令を受けて、無線通信用アンテナ４２から上記微弱電波ＦＲよりも到達距離が長く、通信速度が速い強電波（例えば、５ＧＨｚ）を送信させるように制御する。
【００４５】
送信モードのデジタルカメラ４０では、受信モードのデジタルカメラ４０からの微弱電波ＦＲを受信すると、ＣＰＵ２０が、ＲＡＭ２６に記憶された画像データを乗せた５ＧＨｚの強電波（以下、画像データ付強電波と称する）を、無線通信用アンテナ４２から送信するように制御する。
【００４６】
受信モードのデジタルカメラ４０では、送信モードのデジタルカメラ４０から送信された画像データ付強電波を無線通信用アンテナ４２で受信し、ＣＰＵ２０が、画像データをＲＡＭ２６に記憶する。
【００４７】
このように、画像データを、強電波に乗せて送信するから、微弱電波を用いて画像データを送信するものに比べて、画像データの送受信にかかる時間を短縮することができる。
【００４８】
［第３実施形態］
図８及び図９に示す第３実施形態は、デジタルカメラ５０に、通常再生モードと一覧再生モードとを設けたものである。なお、第１実施形態のものと同様の構成部材には同一の符号を付し、その詳細な説明を省略する。
【００４９】
図８（Ａ）に示すように、通常再生モードでは、ＣＰＵ２０は、ＬＣＤ１０に画像を１個再生表示する。図８（Ｂ）に示すように、一覧再生モードでは、ＣＰＵ２０は、ＬＣＤ１０に画像を複数（例えば、９個）再生表示する。通常再生モードと一覧再生モードとは、メニューキー１１の操作により切り換わる。なお、通常再生モード及び一覧再生モードでＬＣＤ１０に表示する画像数は、適宜変更可能である。また、表示する画像数を設定可能にしてもよい。
【００５０】
次に、デジタルカメラ５０の作用について、図９のフローチャートを用いて説明を行う。ここでは、送信モードのデジタルカメラ５０から受信モードのデジタルカメラ５０に画像データを送信するときの手順について説明を行う。（Ｓ１０１）〜（Ｓ１０４）は、第１実施形態の（Ｓ１）〜（Ｓ４）と同様なので、説明を省略する。
【００５１】
送信側のデジタルカメラ２が下向き姿勢にされたとき（Ｓ１０５でＹ）に、再生モード（通常再生モードまたは一覧再生モード）である場合（Ｓ１０６でＹ）には、ＣＰＵ２０は、送信モードに切り換える（Ｓ１０７）。送信モードのデジタルカメラ５０は、受信モードのデジタルカメラ５０から送信されている微弱電波ＦＲの到達距離内に入ると（Ｓ１０８でＹ）、受信用アンテナ７で微弱電波ＦＲを受信する（Ｓ１０９）。
【００５２】
送信モードのデジタルカメラ５０は、微弱電波ＦＲを受信すると、直前の再生モード時にＬＣＤ１０に表示された画像データ（通常再生モードでは１個、一覧再生モードでは９個の画像データ）が乗せられた画像データ付微弱電波ＤＦＲを、送信用アンテナ６から送信する（Ｓ１１０）。受信モードのデジタルカメラ５０は、受信用アンテナ７で画像データ付微弱電波ＤＦＲを受信し（Ｓ１１１）、画像データをＲＡＭ２６に記憶する（Ｓ１１２）。
【００５３】
このように、ＬＣＤ１０に表示された画像データを全て送信するから、送信する画像データを選択する手間が省け、操作性を向上することができる。
【００５４】
なお、上記実施形態では、各アンテナ６，７，４２を、デジタルカメラの前面に設けたが、上下面、左右側面、後面に設けてもよい。
【００５５】
また、送信モード及び受信モードへのモード切り換えの契機となる姿勢は、下向き姿勢及び上向き姿勢に限らず、適宜変更可能である。
【００５６】
さらに、スイッチを設け、このスイッチを押しているときのみ、送信モード及び受信モードへの切り換えが可能になるようにしてもよく、この場合には、加速度センサ２９でカメラ本体３の動きを検出しないようにすることが好ましい。
【００５７】
また、撮影モードで撮影を行っているときには、データ通信部３０及び無線通信部４１に給電しないようにしてもよい。これにより、消費電力を抑制することができる。
【００５８】
さらに、上記実施形態では、デジタルカメラ２，４０，５０に本発明を実施したが、携帯電話、ＰＤＡ、楽曲再生装置等に実施してもよく、データも画像データに限定されることなく、楽曲データ、プログラムデータ等を送受信するようにしてもよい。なお、携帯電話に実施した場合には、通話中にはモード切り換えを行わないようにすることが好ましい。
【図面の簡単な説明】
【００５９】
【図１】本発明を実施したデジタルカメラを示す正面斜視図である。
【図２】デジタルカメラを示す背面図である。
【図３】デジタルカメラ内部の電気的構成を示すブロック図である。
【図４】下向き姿勢で送信モードのデジタルカメラと上向き姿勢で受信モードのデジタルカメラとを示す正面図である。
【図５】画像データ送信しているときの送信モードのデジタルカメラを示す背面図である。
【図６】画像データを送信する処理の流れを示すフローチャートである。
【図７】無線通信部を設けた実施形態のデジタルカメラ内部の電気的構成を示すブロック図である。
【図８】通常再生モードと一覧再生モードとを設けた実施形態のデジタルカメラを示す背面図である。
【図９】図８に示す実施形態の画像データを送信する処理の流れを示すフローチャートである。
【符号の説明】
【００６０】
２，４０，５０  デジタルカメラ（電子装置）
３  カメラ本体（装置本体）
６  送信用アンテナ
７  受信用アンテナ
１０  ＬＣＤ（表示手段）
２０  ＣＰＵ（制御手段）
２９  加速度センサ
３０  データ通信部
３１  通信制御回路
３２  姿勢検出装置（姿勢検出手段）
３５  送信状況画像
４１  無線通信部
４２  無線通信用アンテナ
４３  無線通信制御回路
【図１】
0004896066.tif 000002
【図２】
0004896066.tif 000003
【図３】
0004896066.tif 000004
【図４】
0004896066.tif 000005
【図５】
0004896066.tif 000006
【図６】
0004896066.tif 000007
【図７】
0004896066.tif 000008
【図８】
0004896066.tif 000009
【図９】
0004896066.tif 000010